(57)【要約】      （修正有）【課題】映像ストリームの使用目的に応じて適切な伝送帯域を確保する。【解決手段】映像表示装置は映像表示要求があったかどうかを判定するＳ４０２。要求があったときは解像度、画面サイズに基づいて、ストリーミングに必要な伝送レートを算出する。次いで、通信状態に基づいて、ストリーミングに確保可能な伝送レートを算出する。両者を比較して、集中制御型のアクセス手順か分散制御型のアクセス手順かのどちらかを選択する。【選択図】図４
2007074018.tif 000002
【特許請求の範囲】
【請求項１】
無線通信路を介して接続された映像通信装置から送信される映像ストリームを受信し、受信した映像ストリームに係る画面を表示手段に表示する映像表示装置であって、
前記画面の表示に係る情報に基づいて、前記映像ストリームの伝送に必要な伝送レートを算出する必要伝送レート算出手段と、
前記必要伝送レート算出手段において算出された伝送レートに基づいて、前記映像通信装置から送信される映像ストリームに係るアクセス手順を選択するアクセス手順選択手段と、
を有することを特徴とする映像表示装置。
【請求項２】
前記無線通信路の通信状態に基づいて、映像ストリームを伝送するのに確保可能な伝送レートを算出する確保可能伝送レート算出手段を更に有し、
前記アクセス手順選択手段は、前記必要伝送レート算出手段において算出された伝送レートと、前記確保可能伝送レート算出手段において算出された伝送レートとに基づいて、前記映像通信装置から送信される映像ストリームに係るアクセス手順を選択することを特徴とする請求項１記載の映像表示装置。
【請求項３】
無線通信路を介して接続された複数の映像通信装置から送信される複数の映像ストリームを受信し、受信した複数の映像ストリームに係る複数の画面を表示手段に表示する映像表示装置であって、
前記各画面の表示に係る情報に基づいて、前記各映像ストリームの伝送に必要な伝送レートを算出する必要伝送レート算出手段と、
前記必要伝送レート算出手段において算出された各伝送レートに基づいて、前記各映像通信装置から送信される各映像ストリームに係るアクセス手順を選択するアクセス手順選択手段と、
を有することを特徴とする映像表示装置。
【請求項４】
前記無線通信路の通信状態に基づいて、映像ストリームを伝送するのに確保可能な伝送レートを算出する確保可能伝送レート算出手段を更に有し、
前記アクセス手順選択手段は、前記必要伝送レート算出手段において算出された各伝送レートと、前記確保可能伝送レート算出手段において算出された伝送レートとに基づいて、前記各映像通信装置から送信される各映像ストリームに係るアクセス手順を選択することを特徴とする請求項３記載の映像表示装置。
【請求項５】
無線通信路を介して接続された映像通信装置から送信される映像ストリームを受信し、受信した映像ストリームに係る画面を表示手段に表示する映像表示装置におけるアクセス手順選択方法であって、
前記画面の表示に係る情報に基づいて、前記映像ストリームの伝送に必要な伝送レートを算出する必要伝送レート算出ステップと、
前記必要伝送レート算出ステップにおいて算出された伝送レートに基づいて、前記映像通信装置から送信される映像ストリームに係るアクセス手順を選択するアクセス手順選択ステップと、
を含むことを特徴とするアクセス手順選択方法。
【請求項６】
無線通信路を介して接続された複数の映像通信装置から送信される複数の映像ストリームを受信し、受信した複数の映像ストリームに係る複数の画面を表示手段に表示する映像表示装置におけるアクセス手順選択方法であって、
前記各画面の表示に係る情報に基づいて、前記各映像ストリームの伝送に必要な伝送レートを算出する必要伝送レート算出ステップと、
前記必要伝送レート算出ステップにおいて算出された各伝送レートに基づいて、前記各映像通信装置から送信される各映像ストリームに係るアクセス手順を選択するアクセス手順選択ステップと、
を含むことを特徴とするアクセス手順選択方法。
【請求項７】
請求項１乃至４の何れか１項に記載の映像表示装置と、前記映像表示装置に映像ストリームを送信する映像通信装置と、を有することを特徴とするシステム。
【発明の詳細な説明】
【技術分野】
【０００１】
本発明は、映像表示装置及びアクセス手順選択方法に関する。
【背景技術】
【０００２】
昨今、各種映像入力装置から映像表示装置への映像データのストリーミング伝送において、確実に映像データの伝送を行いたいという要求や、映像ストリーミングをリアルタイムで映像表示装置の画面で見たいという要求がある。
【０００３】
このような要求に対して、映像ストリーミングの伝送路として無線通信路があり、この分野でも様々な提案がなされてきている。例えば、無線ＬＡＮでは、伝送の際にリアルタイム性が要求されるようなデータ転送には、特別に伝送帯域を保証して伝送させる仕組みが提案されている。簡易的には、伝送されるデータの種別によって優先順位を設け、この優先順位の高いデータ程優先して伝送するような方式（例えばＩＥＥＥ８０２．１１ｅ等）が、ＱｏＳを実現する手段として検討され、提案されている。
【０００４】
また、複数の映像ストリーミングを同時に受信して同一の画面上に例えば親画面と子画面というようにマルチ画面表示を行うようなシステムも提案され、その映像ストリーミングの伝送方法について様々な工夫が紹介されている（例えば、特許文献１〜４参照。）。
【０００５】
特許文献１に記載の画像伝送システムは、その目的として映像データの伝送を行う伝送路の利用効率を上げ、又は、送信側の送信電力を節約することとなっている。そして、この目的を達成するために、伝送する画像情報の総量を減らす手段を映像ストリーミングの送信側に設けることによって実現している。
【０００６】
また、特許文献２に記載の画像データ伝送システムは、その目的として伝送路の通信帯域の無駄な消費を防止することとなっている。そして、この目的を達成するために、表示する画面サイズに応じて伝送する情報量を変化させて伝送する手段を映像ストリーミングの送信側に設けることによって実現している。
【０００７】
また、特許文献３に記載の表示制御装置は、その目的として、通信路上の情報量を削減することとなっている。この目的を達成するために信号源側が必要な画像領域に限って情報量を送信するように制御を行っている。
【０００８】
また、特許文献４に記載の画像処理装置は、その目的として、受信する信号量を制御することができる画像処理装置を提供することとなっている。この目的を達成するために、配信される映像の各種状態や設定やその他の付随する情報に基づいて、送信する情報量を制御する信号等を送信することによって実現している。
【０００９】
【特許文献１】特開平１０−２３４０２０号公報
【特許文献２】特開２０００−２５０５０５号公報
【特許文献３】特開２００１−３５６７５３号公報
【特許文献４】特開２００２−２３７１９号公報
【発明の開示】
【発明が解決しようとする課題】
【００１０】
上記各特許文献に記載された技術は、映像ストリーミングとして映像データを伝送する際に、その通信路の効率的な利用を目的とし、様々な手法を紹介している。したがって、映像ストリームの使用目的に応じて適切な伝送帯域を確保する仕組みに関する記載は無く、よって映像ストリームの使用目的に応じて適切な伝送帯域を確保することができない問題があった。
【００１１】
本発明は上記の点に鑑みなされたもので、映像ストリームの使用目的に応じて適切な伝送帯域を確保することを目的とする。
【課題を解決するための手段】
【００１２】
そこで、上記問題を解決するため、本発明は、無線通信路を介して接続された映像通信装置から送信される映像ストリームを受信し、受信した映像ストリームに係る画面を表示手段に表示する映像表示装置であって、前記画面の表示に係る情報に基づいて、前記映像ストリームの伝送に必要な伝送レートを算出する必要伝送レート算出手段と、前記必要伝送レート算出手段において算出された伝送レートに基づいて、前記映像通信装置から送信される映像ストリームに係るアクセス手順を選択するアクセス手順選択手段と、を有することを特徴とする。
【００１３】
本発明によれば、例えば、画面サイズ、解像度、フレームレート、映像フォーマット等の画面の表示に係る情報に基づいて、映像ストリームの伝送に必要な伝送レートを算出し、映像ストリームの伝送に必要な伝送レートに基づいて映像ストリームのアクセス手順を選択又は決定するので、映像ストリームの使用目的に応じて適切な伝送帯域を確保することができる。
【００１４】
また、本発明は、無線通信路を介して接続された複数の映像通信装置から送信される複数の映像ストリームを受信し、受信した複数の映像ストリームに係る複数の画面を表示手段に表示する映像表示装置であって、前記各画面の表示に係る情報に基づいて、前記各映像ストリームの伝送に必要な伝送レートを算出する必要伝送レート算出手段と、前記必要伝送レート算出手段において算出された各伝送レートに基づいて、前記各映像通信装置から送信される各映像ストリームに係るアクセス手順を選択するアクセス手順選択手段と、を有することを特徴とする。
【００１５】
本発明によれば、例えば、画面サイズ、解像度、フレームレート、映像フォーマット等の各画面の表示に係る情報に基づいて、各映像ストリームの伝送に必要な伝送レートを算出し、各映像ストリームの伝送に必要な伝送レートに基づいて各映像ストリームのアクセス手順を選択又は決定するので、映像ストリームの使用目的に応じて適切な伝送帯域を確保することができる。
【００１６】
また、上記問題を解決するため、本発明は、アクセス手順選択方法、映像表示装置を有するシステムとしてもよい。
【発明の効果】
【００１７】
本発明によれば、映像ストリームの使用目的に応じて適切な伝送帯域を確保することができる。
【発明を実施するための最良の形態】
【００１８】
以下、本発明の実施の形態について図面に基づいて説明する。
【００１９】
図１は、映像ストリーミング表示システムの構成図である。１０は、映像表示装置であり、例えば、複数の映像ストリームを受信可能な無線通信機能を内蔵したテレビである。２０、２１は、映像入力装置であり、例えば無線通信機能を装備して映像ストリームを送信可能なデジタルビデオカメラである。３０は、リモコン装置であり、例えばユーザー等が映像表示装置１０の操作を行うのに使用され、赤外線等の通信手段を用いて映像表示装置１０の親画面１０１や子画面１０２にどのような映像コンテンツを表示するか等の操作（操作要求又は操作指示）を行う。
【００２０】
映像入力装置２０及び映像入力装置２１と、映像表示装置１０とは無線通信によって接続されている。例えば、第一のデジタルビデオカメラ（例えば、映像入力装置２０）から映像データを送信し、第二のデジタルビデオカメラ（例えば、映像入力装置２１）からも映像データを送信する。テレビ（映像表示装置１０）においてこれらの映像データを受信して、画面に表示可能な映像信号にデコード処理を行って、画面にそれぞれの映像を表示する。画面上の画面１０１には第一のデジタルビデオカメラ（例えば、映像入力装置２０）から送信された映像が親画面として表示され、画面上の画面１０２に第二のデジタルビデオカメラ（例えば、映像入力装置２１）から送信された映像が子画面として表示される。
【００２１】
また、映像入力装置２０及び映像入力装置２１と、映像表示装置１０との間の無線通信は、無線ＬＡＮ（例えばＩＥＥＥ８０２．１１）の規格を用いて情報の送受信が行われる。より詳細には、映像表示装置１０がアクセスポイントの機能を、映像入力装置２０、２１がステーションの機能を装備して、アップリンクによって映像入力装置２０、２１から映像表示装置１０に対して映像ストリーミングが送信される仕組みとなっている。更に、アクセスポイントの機能を装備している映像表示装置１０は、複数のステーションとも情報を送受信する機能も合わせて装備して各種のステーションとも接続が可能となっている。そして、リモコン装置３０等によって親画面１０１と子画面１０２との切り換える操作が行われると、親画面１０１には第二のデジタルビデオカメラ（例えば、映像入力装置２１）から送信された映像が表示される。一方、子画面１０２には第一のデジタルビデオカメラ（例えば、映像入力装置２０）から送信された映像が子画面として表示されるような動作を行うシステムとなっている。
【００２２】
なお、後述するように、映像表示装置１０は、例えば親画面１０１にＴＶ放送等を表示し、子画面１０２に映像入力装置２０又は映像入力装置２１から受信した映像データに係る映像を表示するようしてもよい。そしてリモコン装置３０等によって親画面１０１と子画面１０２との切り換える操作が行われると、親画面１０１には映像入力装置２０又は映像入力装置２１から受信した映像データに係る映像を表示し、子画面１０２には、ＴＶ放送等を表示するようにしてもよい。
【００２３】
図２は、映像入力装置２０の内部を機能ブロックに分けて示したブロック図となっている。なお、以下では撮影によって行われる処理、及び再生によって行われる処理を例に各機能ブロックの機能を示す。
【００２４】
（撮影によって行われる処理）
２０２は映像入力部で、カメラとマイクとで構成される。映像入力部２０２は、カメラによって撮影された映像をデジタル信号に変換する処理、マイクによって集音した音声をデジタル信号に変換する処理を行って第１エンコーダ部２０３にそれぞれ映像信号及び音声信号を送信する処理を行う。
【００２５】
２０３は第１エンコーダ部で、映像入力部２０２から送られてきた映像信号や音声信号を受け取って、音声情報を含む映像ストリームにエンコード処理する。第１エンコーダ部２０３で行われるエンコード処理は、例えばＭＰＥＧ２、ＭＰＥＧ４、Ｈ．２６４等の各種映像フォーマットで、解像度、フレームレート、伝送レートの異なる各種の映像ストリームを生成する処理である。そして、制御部２０１からの指示よって第１エンコーダ部２０３で生成された映像ストリームは、映像データ記憶部２０４或いは無線通信部２０６に送られる。撮影によって取得した映像ストリームを内部に記憶する場合には、映像データ記憶部２０４に送られ、ライブ映像として映像表示装置１０に配信する場合には無線通信部２０６に送られる。
【００２６】
２０４は映像データ記憶部で、撮影によって取得した映像ストリームを記憶する部位であり、取り外し可能なメディアとしてＤＶテープ、ＤＶＤ、又はＣＦカードのような記録媒体や、固定メディアとしてＨＤＤのような記憶媒体等で構成される。
【００２７】
２０６は無線通信部で、無線ＬＡＮの規格（ＩＥＥＥ８０２．１１）にしたがって電波を送受信する機能を有し、映像入力装置２０を無線ＬＡＮで定義するところのステーションとして無線通信を行うように制御部２０１によって制御される。また、無線通信部２０６は、撮影した映像をライブ映像としてアクセスポイントである映像表示装置１０に配信する場合に、受け取った映像ストリームを変調してアンテナから電波によって送信する。無線通信部２０６の内部は大きく２つの機能ブロックに分けられ、１つがＭＡＣ処理部２０７、もう１つがＲＦ部２０８となっている。
【００２８】
２０７はＭＡＣ処理部で、無線ＬＡＮの規格（ＩＥＥＥ８０２．１１）で示すＭＡＣ（Ｍｅｄｉｕｍ  Ａｃｃｅｓｓ  Ｃｏｎｔｒｏｌ）レイヤの処理を行う部位である。ＭＡＣ処理部２０７は、内部でＭＡＣフレームを構成し、ＲＦ部２０８との間で送受信する。このＭＡＣフレームは、第１エンコーダ部２０３、或いは第２エンコーダ部２０５から送られてくる映像ストリームをフレームボディに格納している。また、無線通信路における各種の情報（設定情報、アドレス情報、認証情報、シーケンス制御情報等々）もＭＡＣフレームの内部に格納されており、制御部２０１の制御によって、ＲＦ部２０８との間で送受信される。
【００２９】
また、ＭＡＣ処理部２０７は、ＢＳＳ内のステーションとしての機能も装備している。ＢＳＳ内のステーションとしての機能とは、アクセスポイント（映像表示装置１０）によって制御されたＭＡＣフレーム内の各種の情報（設定情報、アドレス情報、認証情報、シーケンス制御情報等々）にしたがって、無線通信の制御を行う機能である。該機能により、映像ストリーミング伝送のようなリアルタイム性を有するデータ伝送に対して、その伝送に必要な帯域を予約し、優先順位を持たせて優先的に伝送することが可能となっている。つまり、ＭＡＣ処理部２０７は、無線通信路におけるＱｏＳを確保するための処理を行う部位となっている。
【００３０】
２０８はＲＦ部で、無線通信部２０６の中でアンテナを介して電波信号を送受信する部位である。ＲＦ部２０８の主な機能としては、ＭＡＣ処理部２０７から送られてくるビットストリームを各種の変調処理を施して電波としてアンテナから送出する機能や、アンテナによって受信した電波から復調する処理を施しビットストリームを抽出する機能がある。
【００３１】
（再生によって行われる処理）
２０４は映像データ記憶部で、撮影によって取得した映像ストリームが記憶され保存されている部位である。このときの映像ストリームは撮影時に第１エンコーダ２０３によって所定の映像フォーマットにエンコードされた映像ストリームとなっている。
【００３２】
２０５は第２エンコーダ部で、再生要求に応じ、映像データ記憶部２０４より読み出した映像ストリームを再生に最適な映像ストリームの映像フォーマットに再びエンコード処理を行う部位である。なお、再生に最適な映像ストリームの映像フォーマットとは、例えばＭＰＥＧ２、ＭＰＥＧ４、Ｈ．２６４等の各種映像フォーマットのことである。例えば、再生に要求されている映像ストリームの解像度と、映像データ記憶部２０４に記録されている映像ストリームの解像度と、が異なるような場合を例にする。このような場合、第２エンコーダ部２０５は、映像データ記憶部２０４に記録されている映像ストリームの解像度を再生に要求されている映像ストリームの解像度に変換するようなエンコード処理を行う。ここでエンコードされた映像ストリームは、再生映像として映像表示装置１０に配信するために無線通信部２０６に送られる。
【００３３】
２０６は無線通信部で、アクセスポイントである映像表示装置１０との間で記憶している映像ストリームの再生要求、再生時の映像種別の指定、のような制御情報の送受信を行う通信インターフェースとしての機能を有する。また無線通信部２０６は、例えば映像表示装置１０からの再生要求に応じて映像ストリームを無線伝送路に送信する機能を有している。無線通信部２０６は、第２エンコーダ２０５から送られてくる映像ストリームを受け取って変調してアンテナから電波によって送信する。
【００３４】
図３は、映像表示装置１０の内部を機能ブロックに分けて示したブロック図となっている。以下に、映像ストリームを受信して画面に表示する処理を例に各機能ブロックの機能を示す。
【００３５】
１０３は無線通信部で、無線ＬＡＮの規格（ＩＥＥＥ８０２．１１）にしたがって電波を送受信する機能を有し、映像表示装置１０を無線ＬＡＮで定義するところのアクセスポイントとして無線通信を行うように制御部１０７によって制御される。無線通信部１０３は、ステーションである映像入力装置２０、２１から無線通信により送信された電波を受信して復調を行って映像ストリームを取り出し、デコーダ部１０４に送信する。無線通信部１０３の内部は大きく２つの機能ブロックに分けられ、１つがＭＡＣ処理部１０９、もう１つがＲＦ部１０８となっている。
【００３６】
１０９はＭＡＣ処理部で、無線ＬＡＮの規格（ＩＥＥＥ８０２．１１）で示すＭＡＣ（Ｍｅｄｉｕｍ  Ａｃｃｅｓｓ  Ｃｏｎｔｒｏｌ）レイヤの処理を行う部位である。ＭＡＣ処理部１０９は、内部でＭＡＣフレームを構成し、ＲＦ部１０８との間で送受信する。ＭＡＣフレームのフレームボディには、デコーダ部１０４に送信する映像ストリームが格納され、ＭＡＣ処理部１０９は、制御部１０７の制御によって映像ストリームをＭＡＣフレームのフレームボディから抽出し、デコーダ部１０４に送信する。また、ＭＡＣフレームは、無線通信路における各種の情報（設定情報、アドレス情報、認証情報、シーケンス制御情報等々）も内部に格納している。ＭＡＣ処理部１０９は、制御部１０７の制御によって各種の情報をＭＡＣフレームから抽出し、ＲＦ部１０８との間で送受信する。
【００３７】
また、ＭＡＣ処理部１０９は、ＢＳＳを形成するアクセスポイントの機能として通信状態調査機能も装備している。通信状態調査機能は、ＭＡＣフレームの内部を参照して、ＢＳＳ内の通信状態を認識し、ＭＡＣフレーム内の各種の情報を管理或いは設定して、ＢＳＳ内の通信を管理する機能である。ここで、ＢＳＳ内の通信状態とは、現在ＢＳＳ内にどのような無線リンクが確立し、どのような伝送帯域が予約され、どのような種別、どの程度の伝送レートでデータ伝送が行われているかといった情報のことである。また、ＭＡＣフレーム内の各種の情報とは、設定情報、アドレス情報、認証情報、シーケンス制御情報のことである。ＭＡＣ処理部１０９は、通信状態調査機能によって、ＭＡＣフレームを無線ＬＡＮの規格にしたがって、制御、及び処理する。したがって、映像ストリーミング伝送のようなリアルタイム性を有するデータ伝送に対して、その伝送に必要な帯域を予約し、優先順位を持たせて優先的に伝送することが可能となっている。つまり、ＭＡＣ処理部１０９は、無線通信路におけるＱｏＳを確保するための処理を行う部位となっている。
【００３８】
１０８はＲＦ部で、無線通信部１０３の中でアンテナを介して電波信号を送受信する部位である。ＲＦ部１０８の主な機能としては、アンテナによって受信した電波から復調する処理を施しビットストリームを抽出する機能や、ＭＡＣ処理部１０９から送られてくるビットストリームを各種の変調処理を施して電波としてアンテナから送出する機能がある。
【００３９】
１０４はデコード部で、受け取った映像ストリームを画面に表示するための映像信号に変換する処理を行う。デコード処理された映像信号は画面表示部１０５に送信される。ここで、例えば映像ストリームを子画面１０２に表示する旨の要求があると、制御部１０８の制御によってデコード部１０４においてデコード処理された映像信号は、子画面１０２相当の画面サイズに変換された映像信号として生成される。
【００４０】
１０５は画面表示部で、映像ストリームの画面表示を行う部位である。画面表示部１０５は、デコーダ部１０４から送られてきた映像信号を制御部１０７によって指定された画面位置及び画面サイズにて表示を行う。画面表示部１０５は、例えば、映像入力装置２０より受信した映像ストリームを親画面１０１に表示し、映像入力装置２１より受信した映像ストリームを子画面１０２に表示する場合には、制御部１０７が指定した画面位置に指定された画面サイズにて表示を行う。
【００４１】
１０６はリモコン受信部で、映像表示装置１０に対してリモコン操作を行うリモコン装置３０から赤外線等の通信手段によって送信される制御信号を受信する部位である。リモコン受信部１０６は、リモコン装置３０から現在表示を行っている親画面１０１と子画面１０２の表示映像を入れ替えて表示するといった制御信号が到来してきた場合、この制御信号を受信して内容を解読し、解読結果等を制御部１０７に通知する処理を行う。
【００４２】
次にフローチャートを図４に示す。図４は、映像ストリーミング伝送時の処理動作を示すフローチャートである。
【００４３】
ステップＳ４０１は、このフローチャートのスタートを示している。ステップＳ４０１の状態は、映像入力装置２０と映像表示装置１０との間で無線リンクが確立した直後の状態であり、まだ映像ストリーミングの伝送は開始されていない状態を示している。このときの無線通信路のアクセス制御方式はＩＥＥＥ８０２．１１無線ＬＡＮの規格であるＤＣＦ（Ｄｉｓｔｒｉｂｕｔｅｄ  Ｃｏｏｒｄｉｎａｔｉｏｎ  Ｆｕｎｃｔｉｏｎ）を使用したアクセス手順である。或いはＰＣＦ（Ｐｏｉｎｔ  Ｃｏｏｒｄｉｎａｔｉｏｎ  Ｆｕｎｃｔｉｏｎ）を使用したアクセス手順であってもよい。
【００４４】
ステップＳ４０２では、映像表示装置１０は、親画面１０１或いは子画面１０２のいずれかの画面に映像ストリーミングによって取得した映像を表示する要求が発生したか否かを判定する。映像表示装置１０は、親画面１０１或いは子画面１０２のいずれかの画面に映像ストリーミングによって取得した映像を表示する要求が発生したと判定すると、ステップＳ４０３に進む。一方、映像表示装置１０は、親画面１０１或いは子画面１０２のいずれかの画面に映像ストリーミングによって取得した映像を表示する要求が発生していないと判定すると、ステップＳ４０２の処理を繰り返す（つまり、現在の状態を維持する。）。
【００４５】
例えば、ユーザーが、映像入力装置２０に対して、内部に記録している映像ストリームの再生操作、及び映像表示装置１０へ映像ストリーミングとして伝送する操作を行う場合がある。このようなユーザーからの操作を受けた映像入力装置２０は、上記のアクセス手順であるＤＣＦ（或いはＰＣＦ）によって操作内容（又は操作内容を含んだ操作内容情報）を映像表示装置１０に送信する。そして、アクセスポイントである映像表示装置１０に、これから映像ストリーミングの伝送が開始されることを通知する。映像表示装置１０は、例えば、前記通知を受け取ると、親画面１０１或いは子画面１０２のいずれかの画面に映像ストリーミングによって取得した映像を表示する要求が発生したと判定する。
【００４６】
また、例えば、ユーザーが、リモコン装置３０を使用して映像表示装置１０に対して、映像入力装置２０の内部に記憶されている映像ストリームを、映像ストリーミングとして受信し、映像表示装置１０の画面に表示するための操作を行う場合がある。このようなユーザーからの操作を受けた映像表示装置１０は、無線リンクが確立している映像入力装置２０に対して上記のアクセス手順であるＤＣＦ（或いはＰＣＦ）によって操作内容を映像入力装置２０に送信して映像ストリーミングの伝送開始を促す。映像表示装置１０は、例えば、前記操作内容をリモコン装置３０より受け取り、映像入力装置２０に送信すると、親画面１０１或いは子画面１０２のいずれかの画面に映像ストリーミングによって取得した映像を表示する要求が発生したと判定する。
【００４７】
ステップＳ４０３では、映像表示装置１０は、ユーザーからの操作に対して映像ストリーミングを伝送するのに必要な伝送レート（例えば、伝送レート１Ａ）を算出する。より詳細には、映像表示装置１０（制御部１０７）は、ステップＳ４０２等において受け取った操作内容に基づいて、映像表示装置１０の親画面１０１又は子画面１０２の何れの画面に映像を表示するのか（つまり、画面サイズはいくらか）判断する。また、映像表示装置１０は、映像を表示する場合の解像度（例えば、６４０×４８０ドット、３２０×２４０ドット等）はいくらか判断する。また、映像表示装置１０は、映像のフレームレート（１秒間に３０フレーム、１秒間に１５フレーム等）はいくらか判断する。また、映像表示装置１０は、映像フォーマット（ＭＰＥＧ２、ＭＰＥＧ４、Ｈ．２６４等）はどのように設定されたか等を判断する。映像表示装置１０は、これらの判断に基づいて映像ストリーミングを伝送するのに必要となる伝送レートを算出する。
【００４８】
ステップＳ４０４では、映像表示装置１０は、これから開始される映像ストリーミングの伝送のためにどの程度の伝送レートが余っているかを調査し、確保可能な伝送レート（伝送レート１Ｂ）を算出する。つまり、映像表示装置１０は、これから開始される映像ストリーミングの伝送に必要な伝送帯域がＢＳＳ内において確保できるかどうかの調査を行い、伝送レートを算出する。より詳細には、アクセスポイントである映像表示装置１０は、上述したようにＭＡＣ処理部１０９においてＢＳＳ内の無線状態を管理する機能を装備している。映像表示装置１０は、このＢＳＳ内の無線状態を管理する機能を利用して、無線状態を把握し、該無線状態に基づいて、どの程度の伝送レートを映像ストリーミングに確保できるか調査し、確保可能な伝送レートを算出する。
【００４９】
ステップＳ４０５では、映像表示装置１０は、ステップＳ４０３の処理結果と、ステップＳ４０４との処理結果と、に応じて、アクセス手順の選択を行う。つまり、映像表示装置は、映像ストリーミングに必要となる伝送レート（伝送レート１Ａ）と、映像ストリーミングに確保可能な伝送レート（伝送レート１Ｂ）と、に応じて、アクセス手順の選択を行う。映像表示装置１０は、ステップＳ４０３と、ステップＳ４０４と、の処理結果に基づいて、映像ストリーミングの伝送として「集中制御型のアクセス手順に従う」を選択すると、ステップＳ４０６に進む。また、映像表示装置１０は、映像ストリーミングの伝送として「分散制御型のアクセス手順に従う」を選択すると、ステップＳ４０８に進む。ここで、集中制御型のアクセス手順とは、ＰＣＦのアクセス手順にＱｏＳに対応すべく伝送帯域を保証するように拡張したアクセス手順である。また、分散制御型のアクセス手順とは、ＤＣＦのアクセス手順にデータの種別に応じて伝送に対する優先順位をつけるように拡張したアクセス手順である。
【００５０】
例えば、映像表示装置１０は、ステップＳ４０３の処理結果、つまり映像ストリーミングに必要となる伝送レート（伝送レート１Ａ）と、ステップＳ４０４との処理結果、つまり映像ストリーミングに確保可能な伝送レート（伝送レート１Ｂ）と、を比較する。
映像表示装置１０は、伝送レート１Ａ  ＜  伝送レート１Ｂであると判断すると、映像ストリーミングの伝送として「集中制御型のアクセス手順に従う」を選択する。一方、映像表示装置１０は、伝送レート１Ａ  ＜  伝送レート１Ｂでない（つまり、伝送レート１Ａ  ＞  伝送レート１Ｂ、又は伝送レート１Ａ  ＝  伝送レート１Ｂ）と判断すると、「分散制御型のアクセス手順に従う」を選択する。なお、伝送レート１Ａ  ＝  伝送レート１Ｂの場合、映像表示装置１０は、映像ストリーミングの伝送として「集中制御型のアクセス手順に従う」を選択するようにしてもよい。
【００５１】
以下、選択事例を示す。例えば、ユーザーが、以下に示すような操作を映像入力装置２０又はリモコン装置３０を用いて行った場合を考える。ユーザーは、子画面１０２に映像ストリーミングによって伝送される映像を表示させるよう操作する。また、ユーザーは、親画面１０１にＴＶ放送等を表示させるよう操作する。また、ユーザーは、子画面１０２に表示される映像は、画面上ではサブ画面として映像内容を把握できる程度の映像品質で十分であり、このような映像品質に適するように、ある程度フレームレートや、解像度等を落とした映像を選択するよう操作する。
このような場合、映像表示装置１０は、例えばステップＳ４０３において、前記操作に係る操作内容に基づいて、映像ストリーミングを伝送するのに必要な伝送レートを算出する。算出した映像ストリーミングを伝送するのに必要な伝送レート（伝送レート１Ａ）は、フレームレートや、解像度等を落としているため、通常の映像品質の場合に比べて低くなる。
【００５２】
一方、アクセスポイントである映像表示装置１０によって形成されているＢＳＳ内に、多数のステーションとしての無線機器が存在しており、各無線機器がＢＳＳ内の無線通信路を使用している、或いは使用する可能性がある場合を考える。このような場合、ステップＳ４０４において、映像表示装置１０が算出するこれから開始される映像ストリーミングの伝送のために確保可能な伝送レート（伝送レート１Ｂ）は、通常の通信の状態等に比べて低くなる。
映像表示装置１０は、伝送レート１Ａと、伝送レート１Ｂと、を比較した結果、伝送レート１Ａ  ＞  伝送レート１Ｂであると判断すると、映像ストリーミングの伝送として「分散制御型のアクセス手順に従う」を選択する。
【００５３】
また、アクセスポイントである映像表示装置１０によって形成されているＢＳＳ内に、例えば映像入力装置２０以外に他のステーションとしての無線機器が存在していない場合を考える。このような場合、ステップＳ４０４において、映像表示装置１０が算出するこれから開始される映像ストリーミングの伝送のために確保可能な伝送レート（伝送レート１Ｂ）は、通常の通信の状態等に比べて高くなる。
映像表示装置１０は、伝送レート１Ａと、伝送レート１Ｂと、を比較した結果、伝送レート１Ａ  ＜  伝送レート１Ｂであると判断すると、映像ストリーミングの伝送として「集中制御型のアクセス手順に従う」を選択する。
【００５４】
次に、例えば、ユーザーが、以下に示すような操作を映像入力装置２０又はリモコン装置３０を用いて行った場合を考える。ユーザーは、映像入力装置２０又はリモコン装置３０を用いて親画面１０１に映像ストリーミングによって伝送される映像を表示させるよう操作する。また、ユーザーは、子画面１０２にＴＶ放送等を表示させるよう操作する。また、ユーザーは、子画面１０２に表示される映像は、画面上ではサブ画面として映像内容を把握できる程度の映像品質で十分であるよう操作する。また、ユーザーは、親画面１０１に表示される映像は、リアルタイムに画像が乱れることも無く、且つ可能な限り高画質の映像品質であり、このような映像品質に適するように、フレームレートや、解像度等を上げた映像を選択するよう操作する。
このような場合、映像表示装置１０は、例えばステップＳ４０３において、前記操作に係る操作内容に基づいて、映像ストリーミングを伝送するのに必要な伝送レートを算出する。算出した映像ストリーミングを伝送するのに必要な伝送レート（伝送レート１Ａ）は、フレームレートや、解像度等を上げているため、通常の映像品質の場合に比べて高くなる。
【００５５】
一方、アクセスポイントである映像表示装置１０によって形成されているＢＳＳ内に、多数のステーションとしての無線機器が存在しており、各無線機器がＢＳＳ内の無線通信路を使用している、或いは使用する可能性がある場合を考える。このような場合、ステップＳ４０４において、映像表示装置１０が算出するこれから開始される映像ストリーミングの伝送のために確保可能な伝送レート（伝送レート１Ｂ）は、通常の通信の状態等に比べて低くなる。
映像表示装置１０は、伝送レート１Ａと、伝送レート１Ｂと、を比較した結果、伝送レート１Ａ  ＞  伝送レート１Ｂであると判断すると、映像ストリーミングの伝送として「分散制御型のアクセス手順に従う」を選択する。
【００５６】
また、アクセスポイントである映像表示装置１０によって形成されているＢＳＳ内に、例えば映像入力装置２０以外に他のステーションとしての無線機器が存在していない場合を考える。このような場合、ステップＳ４０４において、映像表示装置１０が算出するこれから開始される映像ストリーミングの伝送のために確保可能な伝送レート（伝送レート１Ｂ）は、通常の通信の状態等に比べて高くなる。
映像表示装置１０は、伝送レート１Ａと、伝送レート１Ｂと、を比較した結果、伝送レート１Ａ  ＜  伝送レート１Ｂであると判断すると、映像ストリーミングの伝送として「集中制御型のアクセス手順に従う」を選択する。
【００５７】
ステップＳ４０６では、映像表示装置１０は、映像ストリーミングの伝送を集中制御型のアクセス手順に切り換える処理を実行する。よって、映像ストリーミングの伝送がアクセスポイントである映像表示装置１０の集中的な制御によって行われるアクセス手順に切り換わる。映像表示装置１０が、映像ストリーミングの伝送に係るアクセス手順を、集中的な制御によって行うことによって、最優先に映像ストリーミングの伝送を行うことができるので、リアルタイム性を損なわずに伝送帯域を保証した映像ストリーミング伝送が可能となる。
【００５８】
ステップＳ４０８では、映像表示装置１０は、映像ストリーミングの伝送を分散制御型のアクセス手順に切り換える処理を実行する。よって、映像ストリーミングの伝送が、伝送されるデータの種別に関する優先順位に従って、各ステーションの伝送要求にたいしてアクセスポイントである映像表示装置１０が応答するという分散的な制御によって行われるアクセス手順に切り換わる。映像表示装置１０は、映像ストリーミングの伝送に係るアクセス手順を、伝送されるデータの種別に応じて優先順位を設け、優先順位に従って各ステーションに対して応答するという分散的な制御によって行う。よって、他の無線機器（ステーション）の無線通信にも配慮しつつ、優先順位に応じて伝送帯域を確保することが可能になり、伝送帯域を保証した映像ストリーミング伝送が可能となる。
【００５９】
ステップＳ４０７は、このフローチャートの終了を示している。ステップＳ４０７の状態は、映像入力装置２０から映像表示装置１０へ映像ストリーミングの伝送が行われている状態を示している。また、この伝送に係る通信におけるアクセス手順は、集中制御型のアクセス手順か或いは分散制御型のアクセス手順によって行われている状態を示している。
【００６０】
なお、映像表示装置１０は、ステップＳ４０５において、ステップＳ４０３の処理結果と、ステップＳ４０４との処理結果と、に応じて、アクセス手順の選択を行うよう説明を行った。しかしながら、映像表示装置１０は、例えば、ステップＳ４０３の処理結果に基づいて、アクセス手順の選択を行うようにしてもよい。映像表示装置１０が、ステップＳ４０３の処理結果に基づいて、アクセス手順の選択を行うとは、以下に示す通りで有る。映像表示装置１０は、例えば、ステップＳ４０３の処理結果である映像ストリーミングを伝送するのに必要な伝送レート（伝送レート１Ａ）と、予め映像表示装置１０のメモリ（又は記憶部）等に設定されている確保可能な伝送レートの平均値等と、を比較する。映像表示装置１０は、比較結果に応じて、アクセス手順を選択する。映像表示装置１０は、例えば、伝送レート１Ａと、平均値と、の比較の結果、伝送レート１Ａ  ＜  平均値であると判定すると、「集中制御型のアクセス手順に従う」を選択する。一方、映像表示装置１０は、伝送レート１Ａ  ＜  平均値でないと判定すると、「分散制御型のアクセス手順に従う」を選択する。
【００６１】
次にフローチャートを図５に示す。図５は、２つ目の映像ストリーミング伝送時の処理動作を示すフローチャートである。
【００６２】
ステップＳ５０１は、このフローチャートのスタートを示している。ステップＳ５０１の状態は、映像入力装置２０と映像表示装置１０との間で映像ストリーミングによって映像が送信され、映像表示装置１０の子画面１０２に映像が表示されている状態である。なお、説明の簡略化のため、この状態のときの無線通信路におけるアクセス手順は、集中制御型のアクセス手順にて行われているものとする。
【００６３】
ステップＳ５０２では、映像表示装置１０は、映像入力装置２１からの映像ストリーミングによって取得した映像を表示する要求が発生したか否かを判定する。映像表示装置１０は、映像入力装置２１からの映像ストリーミングによって取得した映像を表示する要求が発生したと判定すると、ステップＳ５０３に進む。一方、映像表示装置１０は、映像入力装置２１からの映像ストリーミングによって取得した映像を表示する要求が発生していないと判定すると、ステップＳ５０２の処理を繰り返す（つまり、現在の状態を維持する。）。
【００６４】
例えば、ユーザーが、映像入力装置２１に対して、内部に記録している映像ストリームの再生操作、及び映像表示装置１０へ映像ストリーミングとして伝送する操作を行う場合がある。このようなユーザーからの操作を受けた映像入力装置２１は、ＤＣＦ（或いはＰＣＦ）によって操作内容を映像表示装置１０に送信して、アクセスポイントである映像表示装置１０に、これから映像ストリーミングの伝送が開始されることを通知する。映像表示装置１０は、前記通知を受け取ると、映像入力装置２１からの映像ストリーミングによって取得した映像を表示する要求が発生したと判定する。
【００６５】
また、例えば、ユーザーが、リモコン装置３０を使用して映像表示装置１０に対して、映像入力装置２１の内部に記憶されている映像ストリームを、映像ストリーミングとして受信し、映像表示装置１０の画面に表示するための操作を行う場合がある。このようなユーザーからの操作を受けた映像表示装置１０は、無線リンクが確立している映像入力装置２１に対してＤＣＦ（或いはＰＣＦ）によって操作内容を映像入力装置２０に送信して映像ストリーミングの伝送開始を促す。映像表示装置１０は、前記操作内容をリモコン装置３０より受け取り、映像入力装置２０に送信すると、映像入力装置２１からの映像ストリーミングによって取得した映像を表示する要求が発生したと判定する。
【００６６】
ステップＳ５０３では、映像表示装置１０は、ユーザーからの操作に対して映像ストリーミングを伝送するのに必要な伝送レート（例えば、伝送レート２Ａ）を算出する。より詳細には、映像表示装置１０（制御部１０７）は、ステップＳ５０２等において受け取った操作内容に基づいて、映像表示装置１０の親画面１０１又は子画面１０２の何れの画面にどの映像を表示するのか（つまり、画面サイズはいくらか）を判断する。また、映像表示装置１０は、映像を表示する場合の解像度（例えば、６４０×４８０ドット、３２０×２４０ドット等）はいくらかを判断する。また、映像表示装置１０は、映像のフレームレート（１秒間に３０フレーム、１秒間に１５フレーム等）はいくらかを判断する。また、映像表示装置１０は、映像フォーマット（ＭＰＥＧ２、ＭＰＥＧ４、Ｈ．２６４等）はどのように設定されたか等を判断する。映像表示装置１０は、これらの判断に基づいて映像を伝送するのに必要となる伝送レートを算出する。
【００６７】
ステップＳ５０４では、映像表示装置１０が、これから開始される映像ストリーミングの伝送のためにどの程度の伝送レートが余っているかを調査し、確保可能な伝送レート（伝送レート２Ｂ）を算出する。つまり、映像表示装置１０は、これから開始される映像ストリーミングの伝送に必要な伝送帯域がＢＳＳ内において確保できるかどうかの調査を行い、伝送レートを算出する。より詳細には、アクセスポイントである映像表示装置１０は、上述したようにＭＡＣ処理部１０９においてＢＳＳ内の無線状態を管理する機能を装備している。映像表示装置１０は、このＢＳＳ内の無線状態を管理する機能を利用して、無線状態を把握し、該無線状態に基づいて、どの程度の伝送レートを映像ストリーミングに確保できるか調査し、確保可能な伝送レートを算出する。
【００６８】
ステップＳ５０５では、映像表示装置１０が、例えば、ステップＳ５０３の処理結果と、ステップＳ５０４の処理結果と、に応じて、アクセス手順の選択（又は決定）を行う。つまり、映像表示装置１０は、映像ストリーミングに必要となる伝送レート（伝送レート２Ａ）と、映像ストリーミングに確保可能な伝送レート（伝送レート２Ｂ）と、に応じて、アクセス手順の選択を行う。
【００６９】
例えば、映像表示装置１０は、伝送レート２Ａ  ＜  伝送レート２Ｂであると判断すると、映像ストリーミングの伝送として「集中制御型のアクセス手順に従う」を選択する。一方、映像表示装置１０は、伝送レート２Ａ  ＜  伝送レート２Ｂでないと判断すると、「分散制御型のアクセス手順に従う」を選択する。
【００７０】
また、例えば、映像入力装置２０からの映像ストリーミングの伝送として「集中制御型のアクセス手順に従う」が選択されている場合を考える。このような場合において、更に、映像表示装置１０が、映像入力装置２１からの映像ストリーミングの伝送も「集中制御型のアクセス手順に従う」を選択した場合を考える。このような場合、映像表示装置１０は、伝送レート１Ａと、伝送レート２Ａと、を比較する。映像表示装置１０は、伝送レート１Ａ  ＜  伝送レート２Ａであると判断すると、映像入力装置２０からの映像ストリーミングの伝送は分散制御型のアクセス手順に切り替えるようにしてもよい。また、映像表示装置１０は、映像入力装置２１からの映像ストリーミングの伝送は集中制御型のアクセス手順で行うようにしてもよい。
なお、ここで、伝送レート１Ａは、例えば、映像表示装置１０のメモリ（又は記憶部）等に格納、保持されており、映像表示装置１０は、該格納、保持されている伝送レート１Ａを参照又は取得して、伝送レート２Ａと比較する。
【００７１】
以下、選択（又は決定）事例を示す。なお、前提として、映像表示装置１０は、子画面１０２に映像入力装置２０からの映像ストリーミングの映像を表示しているものとする。例えば、ユーザーは、映像入力装置２０又はリモコン装置３０を用いて映像入力装置２１からの映像ストリーミングによって伝送される映像を親画面１０１に表示させるよう操作する。また、ユーザーは、親画面に１０１に表示される映像は、リアルタイムに画像が乱れることも無く、且つ可能な限り高画質の映像品質であり、このような映像品質に適するように、フレームレートや、解像度等を上げた映像を選択するよう操作する。
このような場合、映像表示装置１０は、ステップＳ５０３において、前記操作に係る操作内容に基づいて、映像ストリーミングを伝送するのに必要な伝送レートを算出する。算出した映像ストリーミングを伝送するのに必要な伝送レート（伝送レート２Ａ）は、フレームレートや、解像度等を上げているため、通常の映像品質の場合に比べて高くなる。
【００７２】
一方、アクセスポイントである映像表示装置１０によって形成されているＢＳＳ内に、多数のステーションとしての無線機器が存在しており、各無線機器がＢＳＳ内の無線通信路を使用している、或いは使用する可能性がある場合を考える。この場合、ステップＳ５０４において、映像表示装置１０が算出するこれから開始される映像ストリーミングの伝送のために確保可能な伝送レート（伝送レート２Ｂ）は、通常の通信の状態等に比べて低くなる。
映像表示装置１０は、伝送レート２Ａと、伝送レート２Ｂと、を比較した結果、伝送レート２Ａ  ＞  伝送レート２Ｂであると判断すると、映像ストリーミングの伝送として「分散制御型のアクセス手順に従う」を選択する。
【００７３】
また、アクセスポイントである映像表示装置１０によって形成されているＢＳＳ内に、例えば映像入力装置２０及び映像入力装置２１以外に他のステーションとしての無線機器が存在していない場合を考える。この場合、ステップＳ５０４において、映像表示装置１０が算出するこれから開始される映像ストリーミングの伝送のために確保可能な伝送レート（伝送レート２Ｂ）は、通常の通信の状態等に比べて高くなる。
映像表示装置１０は、伝送レート２Ａと、伝送レート２Ｂと、を比較した結果、伝送レート２Ａ  ＜  伝送レート２Ｂであると判断すると、映像ストリーミングの伝送として「集中制御型のアクセス手順に従う」を選択する。ここで、上述したように、映像入力装置２０からの映像ストリーミングの伝送として「集中制御型のアクセス手順に従う」が選択されていた場合を考える。このような場合、映像表示装置１０は、例えば、伝送レート１Ａと、伝送レート２Ａとを比較して、伝送レート１Ａ  ＜  伝送レート２Ａであると判断すると、映像入力装置２０からの映像ストリーミングの伝送を分散制御型のアクセス手順に切り替える。また、映像表示装置１０は、映像入力装置２１からの映像ストリーミングの伝送は集中制御型のアクセス手順で行う。
【００７４】
ステップＳ５０６では、映像表示装置１０は、映像入力装置２１からの映像ストリーミングの伝送を、ステップＳ５０５で選択（又は決定）したアクセス手順で行う。例えば、ステップＳ５０５において、映像表示装置１０が、映像入力装置２０からの映像ストリーミングの伝送は分散制御型のアクセス手順に切り替え、映像入力装置２１からの映像ストリーミングの伝送は集中制御型のアクセス手順で行うと選択した場合を考える。このような場合、ステップＳ５０６では、映像表示装置１０は、映像入力装置２０からの映像ストリーミングの伝送は分散制御型のアクセス手順に従い、映像入力装置２１からの映像ストリーミングの伝送は集中制御型のアクセス手順に従う。
【００７５】
映像表示装置１０は、映像入力装置２１からの映像ストリーミングの伝送を集中制御型のアクセス手順に従い処理する。よって、映像入力装置２１からの映像ストリーミングの伝送は、リアルタイム性を損なわずに伝送帯域を保証した映像ストリーミングの伝送となる。また、映像表示装置１０は、映像入力装置２０からの映像ストリーミングの伝送を分散制御型のアクセス手順に従い処理する。よって、映像入力装置２０からの映像ストリーミングの伝送は、他の無線機器（ステーション）の無線通信にも配慮しつつ、優先順位に応じて伝送帯域を確保することが可能になり、伝送帯域を保証した映像ストリーミングの伝送となる。
【００７６】
ステップＳ５０７は、このフローチャートの終了を示している。ステップＳ５０７の状態は、映像入力装置２０及び映像入力装置２１から映像表示装置１０へ映像ストリーミングの伝送が行われている状態を示している。例えば、映像入力装置２０から映像表示装置１０への伝送に係る通信におけるアクセス手順は、分散制御型のアクセス手順によって行われている状態を示している。また、映像入力装置２１から映像表示装置１０への伝送に係る通信におけるアクセス手順は、集中制御型のアクセス手順によって行われている状態を示している。
【００７７】
次にフローチャートを図６に示す。図６は、映像ストリーミングに係る画面切り換え時の処理動作を示すフローチャートである。
【００７８】
ステップＳ６０１は、このフローチャートのスタートを示している。ステップＳ６０１の状態は、映像入力装置２０から映像表示装置１０への映像ストリーミングの伝送が、分散制御型のアクセス手順によって行われている状態を示している。また、前記映像ストリーミングに係る映像が子画面１０２に表示されている状態を示している。また、映像入力装置２１から映像表示装置１０への映像ストリーミングの伝送が、集中制御型のアクセス手順によって行われ、前記映像ストリーミングに係る映像が親画面１０１に表示されている状態を示している。
【００７９】
ステップＳ６０２では、映像表示装置１０は、画面の切り換え要求が発生したか否かを判定する。映像表示装置１０は、画面の切り換え要求が発生したと判定すると、ステップＳ６０３に進む。一方、映像表示装置１０は、画面の切り換え要求が発生していないと判定すると、ステップＳ６０２の処理を繰り返す（つまり、現在の状態を維持する。）。
【００８０】
例えばユーザーが、リモコン装置３０を使用して映像表示装置１０に対して、子画面１０２の映像と、親画面１０１の映像と、を切り換えて表示するよう操作を行う場合がある。映像表示装置１０は、前記操作に係る操作内容を受け取ると、画面の切り換え要求が発生したと判定する。
【００８１】
ステップＳ６０３では、映像表示装置１０は、ユーザーからの操作に対して映像ストリーミングを伝送するのに必要な伝送レートを算出する。ここで、必要な伝送レートとは、例えば、映像入力装置２０からの映像ストリーミングに係る伝送レート３１Ａと、映像入力装置２１からの映像ストリーミングに係る伝送レート３２Ａと、である。より詳細には、映像表示装置１０（制御部１０７）は、ステップＳ６０２において受け取った操作内容に基づいて、映像表示装置１０の親画面１０１又は子画面１０２の何れの画面にどの映像を表示するのかを算出する。つまり、映像表示装置１０は、映像入力装置２０からの映像ストリーミングに係る画面サイズはいくらで、映像入力装置２１からの映像ストリーミングに係る画面サイズはいくらを算出する。また、映像表示装置１０は、映像を表示する場合の各解像度（例えば、６４０×４８０ドット、３２０×２４０ドット等）はいくらかを算出する。また、映像表示装置１０は、映像の各フレームレート（１秒間に３０フレーム、１秒間に１５フレーム等）はいくらかを算出する。また、映像表示装置１０は、各映像フォーマット（ＭＰＥＧ２、ＭＰＥＧ４、Ｈ．２６４等）はどのように設定されたか等を判断し、該判断に基づいて映像を伝送するのに必要となる伝送レートを算出する。
【００８２】
ステップＳ６０４では、映像表示装置１０が、これから開始される映像ストリーミングの伝送のためにどの程度の伝送レートが余っているかを調査し、確保可能な伝送レート（伝送レート３Ｂ）を算出する。つまり、映像表示装置１０は、これから開始される映像ストリーミングの伝送に必要な伝送帯域がＢＳＳ内において確保できるかどうかの調査を行い、伝送レートを算出する。より詳細には、アクセスポイントである映像表示装置１０は、上述したようにＭＡＣ処理部１０９においてＢＳＳ内の無線状態を管理する機能を装備している。映像表示装置１０は、このＢＳＳ内の無線状態を管理する機能を利用して、無線状態を把握し、該無線状態に基づいて、どの程度の伝送レートを映像ストリーミングに確保できるか調査し、確保可能な伝送レートを算出する。
【００８３】
ステップＳ６０５では、映像表示装置１０が、例えば、ステップＳ６０３の処理結果と、ステップＳ６０４との処理結果と、に応じて、アクセス手順の選択（又は決定）を行う。つまり、映像表示装置１０は、映像ストリーミングに必要となる伝送レート（伝送レート３１Ａ、伝送レート３２Ａ）と、映像ストリーミングに確保可能な伝送レート（伝送レート３Ｂ）と、に応じて、クセス手順の選択（又は決定）を行う。
【００８４】
例えば、映像表示装置１０は、伝送レート３１Ａ及び伝送レート３２Ａと、伝送レート３Ｂと、を比較する。映像表示装置１０は、伝送レート３１Ａ  ＜  伝送レート３Ｂであると判断すると、映像入力装置２０からの映像ストリーミングの伝送として「集中制御型のアクセス手順に従う」を選択する。一方、映像表示装置１０は、伝送レート３２Ａ  ＜  伝送レート３Ｂであると判断すると、映像入力装置２１からの映像ストリーミングの伝送も「集中制御型のアクセス手順に従う」を選択する。
【００８５】
なお、映像表示装置１０が、上述したように、映像入力装置２０からの映像ストリーミングの伝送も、映像入力装置２１からの映像ストリーミングの伝送も「集中制御型のアクセス手順に従う」を選択した場合を考える。このような場合、映像表示装置１０は、伝送レート３１Ａと、伝送レート３２Ａとを比較する。映像表示装置１０は、伝送レート３１Ａ  ＞  伝送レート３２Ａであると判断すると、映像入力装置２０からの映像ストリーミングの伝送は「集中制御型のアクセス手順に従う」を選択する。また、映像表示装置１０は、映像入力装置２１からの映像ストリーミングの伝送は「分散制御型のアクセス手順に従う」を選択する。
【００８６】
ステップＳ６０６では、映像表示装置１０は、映像入力装置２０からの映像ストリーミングの伝送及び映像入力装置２１からの映像ストリーミングの伝送を、ステップＳ６０５で選択（又は決定）したアクセス手順で行う。例えば、ステップＳ６０５において、映像表示装置１０が、映像入力装置２０からの映像ストリーミングの伝送は集中制御型のアクセス手順に従い、映像入力装置２１からの映像ストリーミングの伝送は分散制御型のアクセス手順に従うと選択した場合を考える。このような場合映像表示装置１０は、ステップＳ６０６において、映像入力装置２０からの映像ストリーミングの伝送は集中制御型のアクセス手順に従い処理を行い、映像入力装置２１からの映像ストリーミングの伝送は分散制御型のアクセス手順に従い処理を行う。
【００８７】
映像表示装置１０は、映像入力装置２０からの映像ストリーミングの伝送を集中制御型のアクセス手順で処理する。よって、映像入力装置２１からの映像ストリーミングの伝送は、リアルタイム性を損なわずに伝送帯域を保証した映像ストリーミングの伝送となる。また、映像表示装置１０は、映像入力装置２０からの映像ストリーミングの伝送を分散制御型のアクセス手順で処理する。よって、映像入力装置２１からの映像ストリーミングの伝送は、他の無線機器（ステーション）の無線通信にも配慮しつつ、優先順位に応じて伝送帯域を確保することが可能になり、伝送帯域を保証した映像ストリーミングの伝送となる。
【００８８】
ステップＳ６０７は、このフローチャートの終了を示している。ステップＳ６０７の状態は、映像入力装置２０及び映像入力装置２１から映像表示装置１０へ映像ストリーミングの伝送が行われている状態を示している。例えば、映像入力装置２１から映像表示装置１０への映像ストリーミングの伝送が、分散制御型のアクセス手順によって行われ、前記映像ストリーミングに係る映像が子画面１０２に表示されている状態を示している。また、映像入力装置２０から映像表示装置１０への映像ストリーミングの伝送が、集中制御型のアクセス手順によって行われ、前記映像ストリーミングに係る映像が親画面１０１に表示されている状態を示している。
【００８９】
上述したように、本実施の形態によれば、映像ストリーミングの使用目的（又は映像ストリーミングの優先度）に応じて適切な伝送帯域を確保することができる。また、本実施の形態によれば、伝送路が、外的要因等によって影響を受けやすい無線通信路であっても、伝送路を効率的に利用することができる。
【００９０】
以上、本発明の好ましい実施の形態について詳述したが、本発明は係る特定の実施の形態に限定されるものではなく、特許請求の範囲に記載された本発明の要旨の範囲内において、種々の変形・変更が可能である。
【図面の簡単な説明】
【００９１】
【図１】映像ストリーミング表示システムの構成図である。
【図２】映像入力装置の機能ブロック図である。
【図３】映像表示装置の機能ブロック図である。
【図４】映像ストリーミング伝送時の処理動作を示すフローチャートである。
【図５】２つ目の映像ストリーミング伝送時の処理動作を示すフローチャートである。
【図６】映像ストリーミングに係る画面切り換え時の処理動作を示すフローチャートである。
【符号の説明】
【００９２】
１０      映像表示装置
２０      映像入力装置
２１      映像入力装置
３０      リモコン装置
１０１    親画面
１０２    子画面
１０３    無線通信部
１０４    デコーダ部
１０５    画面表示部
１０６    リモコン受信部
１０７    制御部
１０８    ＲＦ部
１０９    ＭＡＣ処理部
２０１    制御部
２０２    映像入力部
２０３    第１エンコーダ部
２０４    映像データ記憶部
２０５    第２エンコーダ部
２０６    無線通信部
２０７    ＭＡＣ処理部
２０８    ＲＦ部
【図１】
2007074018.tif 000003
【図２】
2007074018.tif 000004
【図３】
2007074018.tif 000005
【図４】
2007074018.tif 000006
【図５】
2007074018.tif 000007
【図６】
2007074018.tif 000008